(57)【要約】【課題】ワンルーム・マンション等の小規模住戸における部屋を想定してなされたもので、キッチンや洗面の使い勝手を向上するとともに、部屋全体に開放感を持たせることができる部屋構造を提供する。【解決手段】この部屋構造は、玄関側空間１０とその奥側の居室空間１１とに跨る平面状の壁面４に沿って、奥行きＬがほぼ統一されたキッチンユニット３０と洗面ユニット４０とカウンターユニット５０を一体的に並設して、玄関側空間１０にキッチンユニット３０を、居室空間１１に前記洗面ユニット４０及びカウンターユニット５０を配置している。また、キッチンユニット３０のワークトップ３１、洗面ユニット４０の洗面カウンター４１、カウンターユニット５０のカウンター５１のぞれぞれの上方の空間部を、壁面４に沿って互いに横方向に連通させている。【選択図】図１
2009114768.tif 000002
【特許請求の範囲】
【請求項１】
玄関側空間（１０）とその奥側の居室空間（１１）とに跨る平面状の壁面（４）に沿って、奥行き（Ｌ）がほぼ統一されたキッチンユニット（３０）と洗面ユニット（４０）とカウンターユニット（５０）を一体的に並設して、前記玄関側空間（１０）に前記キッチンユニット（３０）を、前記居室空間（１１）に前記洗面ユニット（４０）及び前記カウンターユニット（５０）をそれぞれ配置するとともに、前記キッチンユニット（３０）のワークトップ（３１）上方の空間部、前記洗面ユニット（４０）の洗面カウンター（４１）上方の空間部、前記カウンターユニット（５０）のカウンター（５１）上方の空間部を、前記壁面（４）に沿って互いに横方向に連通させたことを特徴とする部屋構造。
【請求項２】
前記洗面ユニット（４０）の洗面カウンター（４１）と前記カウンターユニット（５０）のカウンター（５１）を、ほぼ同じ高さ位置に揃えて連続させるとともに、これら洗面カウンター（４１）及びカウンター（５１）を、前記キッチンユニット（３０）のワークトップ（３１）に対してほぼ同じ高さ位置若しくはそれよりも低い高さ位置に配置した請求項１記載の部屋構造。
【請求項３】
前記キッチンユニット（３０）と前記洗面ユニット（４０）と前記カウンターユニット（５０）のそれぞれの奥行き（Ｌ）を、５００ｍｍ以下に設定した請求項１又は２記載の部屋構造。
【請求項４】
前記洗面ユニット（４０）の洗面カウンター（４１）若しくは前記カウンターユニット（５０）のカウンター（５１）の横幅を調整することで、前記キッチンユニット（３０）と前記洗面ユニット（４０）と前記カウンターユニット（５０）を前記壁面（４）の横幅いっぱいに亘って並設した請求項１乃至３のいずれかに記載の部屋構造。
【請求項５】
前記玄関側空間（１０）に、バス（１２）及びトイレ（１３）を配置したユーティリティスペース（１４）を区画形成して、このユーティリティスペース（１４）に洗濯機（１５）を配置した請求項１乃至４のいずれかに記載の部屋構造。
【発明の詳細な説明】
【技術分野】
【０００１】
この発明は、主としてワンルームマンション等の小規模住戸における部屋構造に関する。
【背景技術】
【０００２】
一般に、ワンルームマンションでは、狭い敷地において多くの戸数を確保して収益性を向上するために、各住戸における部屋の間口が３．５ｍ程度に抑えられていることが多く、このような間口の狭い部屋に、居室以外に玄関、台所、バス、トイレ、洗面、収納等の各種設備がコンパクトに集約されている。
【０００３】
従来においては、部屋の玄関側空間にバス、トイレ、洗面等の水周り設備がひとまとめにして設けられており、これら水周り設備の玄関側空間における床面積含有率が高くなりがちで、これにより同じく玄関側空間に設けられる台所が狭くなっていることが多く、台所の使い勝手が悪いといった不具合があった。また、洗面は、バスやトイレに対して補助的に設けられていることが多く、狭くて暗い場所での洗面作業を強いられることが多かった。
【０００４】
そこで、例えば特許文献１に開示されているように、部屋の玄関側空間とその奥側の居室空間とに跨る平面状の壁面に沿って、奥行きがほぼ統一されたキッチンユニット、洗面ユニット、各種の収納ユニットを整然と並設することで、省スペース化を実現した部屋構造が提案されている。そして、この部屋構造においては、キッチンユニットを居室空間に配置し、洗面ユニットをバスやトイレから離した状態で玄関側空間に配置しており、これによって明るくて広い場所でのキッチンユニットや洗面ユニットの使用を可能にしている。
【０００５】
【特許文献１】特開平１１−２２５８３７号公報
【発明の開示】
【発明が解決しようとする課題】
【０００６】
しかしながら、上記の部屋構造においては、各ユニットのユニット本体が前面開放の箱形に形成されていて、それらユニット本体における人の背丈ほどの高さを有する側板が壁面から張り出した状態となっているので、閉塞感や圧迫感を与え易く、部屋全体が狭く感じられるといった不具合があった。
【０００７】
この発明は、ワンルーム・マンション等の小規模住戸における部屋を想定してなされたもので、キッチンユニット、洗面ユニット、カウンターユニットを効果的に配置して、キッチンユニットや洗面ユニットの使い勝手を向上するとともに、部屋全体に開放感を持たせることができる利便性に優れた部屋構造の提供を目的とする。
【課題を解決するための手段】
【０００８】
上記課題を解決するため、この発明に係る部屋構造は、玄関側空間１０とその奥側の居室空間１１とに跨る平面状の壁面４に沿って、奥行きＬがほぼ統一されたキッチンユニット３０と洗面ユニット４０とカウンターユニット５０を一体的に並設して、前記玄関側空間１０に前記キッチンユニット３０を、前記居室空間１１に前記洗面ユニット４０及び前記カウンターユニット５０をそれぞれ配置するとともに、前記キッチンユニット３０のワークトップ３１上方の空間部、前記洗面ユニット４０の洗面カウンター４１上方の空間部、前記カウンターユニット５０のカウンター５１上方の空間部を、前記壁面４に沿って互いに横方向に連通させたことを特徴とする。
【０００９】
具体的には、前記洗面ユニット４０の洗面カウンター４１と前記カウンターユニット５０のカウンター５１を、ほぼ同じ高さ位置に揃えて連続させるとともに、これら洗面カウンター４１及びカウンター５１を、前記キッチンユニット３０のワークトップ３１に対してほぼ同じ高さ位置若しくはそれよりも低い高さ位置に配置している。
【００１０】
また、前記キッチンユニット３０と前記洗面ユニット４０と前記カウンターユニット５０のそれぞれの奥行きＬを、５００ｍｍ以下に設定している。
【００１１】
さらに、前記洗面ユニット４０の洗面カウンター４１若しくは前記カウンターユニット５０のカウンター５１の横幅を調整することで、前記キッチンユニット３０と前記洗面ユニット４０と前記カウンターユニット５０を前記壁面４の横幅いっぱいに亘って並設している。
【００１２】
さらにまた、前記玄関側空間１０に、バス１２及びトイレ１３を配置したユーティリティスペース１４を区画形成して、このユーティリティスペース１４に洗濯機１５を配置している。
【発明の効果】
【００１３】
この発明の部屋構造においては、洗面ユニットを居室空間に配置しているので、明るくて広い場所で洗面ユニットを使用することができる。しかも、洗面ユニットを居室空間に配置することにより、水周り設備の玄関側空間における床面積含有率が低くなって、玄関側空間に配置したキッチンユニット周りの通路の幅も広く確保することができ、キッチンユニットの使い勝手も良好にすることができる。
【００１４】
しかも、玄関側空間と居室空間とに跨る壁面に沿って、キッチンユニットと洗面ユニットとカウンターユニットを一体的に並設したにもかかわらず、これらユニットのワークトップ、洗面カウンター、カウンターの上方の空間部を互いに横方向に連通することで、並設したユニットの上方が仕切りのない開放状態となって視線が通ることから、従来のような閉塞感や圧迫感を与えることなく、部屋全体に開放感を持たせることができる。しかも、洗面カウンターやカウンターの下方が要所要所において壁面が露出するように開放するので、床面に拡がりを持たせて開放感をさらに高めることができる。
【００１５】
さらに、洗面カウンター及びカウンターを各種用途に使用することができ、これらの下方を収納部として利用することができることから、利便性を高めることができるとともに、机や収納等の家具類を減らして居室空間を広く確保することができる。
【００１６】
また、洗面カウンターとカウンターの高さ位置を、ワークトップの高さ位置若しくはそれよりも低い高さ位置に抑えながら揃えることで、ユニット上方を十分に開放して部屋全体の開放感をさらに高めることができ、しかも洗面カウンターとカウンターが直線的に連続して、デザイン性も向上することができる。
【００１７】
さらにまた、洗面カウンターやカウンターの横幅を調整することで、ユニットを壁面の横幅いっぱいに亘って並設しているので、奥行き寸法の異なる部屋に対して、大きな設計変更を伴うことなく、同様の配置形態を維持しながらユニットを並設することができる。
【００１８】
さらに、玄関側空間に区画形成したユーティリティスペースに洗濯機を配置することで、洗濯機の使い勝手を良好にすることができるとともに、居室空間から洗濯機が見えることがなくて見栄えを良好にすることができ、しかも洗濯機が発する騒音も気にせずに済む。
【発明を実施するための最良の形態】
【００１９】
以下、この発明の実施形態を図面に基づいて詳細に説明する。図１は、この発明の一実施形態に係るワンルームマンションの一住戸の部屋構造を示している。この部屋構造は、細長い矩形の平面形状を有し、間口が約３．５ｍｍ、奥行きが約８．０ｍとされている。短手方向に沿った一方の壁面１には玄関５が設けられ、短手方向に沿った他方の壁面２には窓６が設けられ、窓６の屋外側にはバルコニー７が設けられている。
【００２０】
そして、部屋内には、玄関側空間１０とその奥側の居室空間１１とが長手方向に連続している。玄関側空間１０には、壁面１と長手方向に沿った一方の壁面３とのコーナー部において、バス１２及びトイレ１３を配置したユーティリティスペース１４が区画形成されている。このユーティリティスペース１４には、洗濯機１５が配置されている。また、長手方向に沿った他方の壁面４には、ユーティリティスペース１４の出入口に対向してパイプスペース１６が張り出しており、このパイプスペース１６と壁面１との間に、下駄箱１７及び玄関収納１８が壁面４に沿って並設されている。
【００２１】
居室空間１１には、ユーティリティスペース１４の奥側において、ウォークインクローゼット２０が壁面３に沿うようにして区画形成されている。また、ユーティリティスペース１４の奥側で、ウォークインクローゼット２０の壁面４と対向する外側には、冷蔵庫２１及びカップボード２２が並設されている。さらに、居室空間１１には、収納家具２３及びベット２４が壁面３に沿って並設されている。
【００２２】
そして、図１乃至図４に示すように、玄関側空間１０と居室空間１１とに跨るようにして、キッチンユニット３０と洗面ユニット４０とカウンターユニット５０とが平面状の壁面４に沿って一体的に並設されている。具体的には、これらユニット３０、４０、５０は、奥行きＬがほぼ統一されて５００ｍｍ以下に設定されており、パイプスペース１６と壁面２との間における壁面４の約６１５０ｍｍの横幅いっぱいに亘って連続して並設されている。そして、キッチンユニット３０が、玄関５と居室空間１１とを繋ぐ通路１９を挟んで冷蔵庫２１と対向するように玄関側空間１０に配置され、洗面ユニット４０及びカウンターユニット５０が、居室空間１１に配置されている。
【００２３】
キッチンユニット３０は、壁面４に固定されたワークトップ３１と、このワークトップ３１を下側から支持する扉付きキャビネット３２と、ワークトップ３１に取り付けられたコンロ３４及びシンク３５とを備えている。
【００２４】
ワークトップ３１は、平面視長方形状に形成され、床面から８５０ｍｍ程度の調理作業に適した高さレベルに配されている。また、このワークトップ３１に対応して、壁面４に化粧板３６が張り付けられている。キャビネット３２は、シンク３５に接続された配管が収納されている。また、このキャビネット３２は、各種調理器具や洗剤等を収納可能としている。コンロ３４としては、例えば２口タイプのＩＨクッキングヒータが用いられている。また、このコンロ３４に対応して、壁面４に換気フード３７が取り付けられている。この換気フード３７によって吸い込まれた煙等は、壁面４に横方向に沿って取り付けられた排気ダクト３８を介して壁面２に形成した図示しない排気口から屋外へ排出されるようになっている。シンク３５には、混合水栓３９が取り付けられている。
【００２５】
洗面ユニット４０は、壁面４に固定された洗面カウンター４１と、この洗面カウンター４１を下側から支持する扉付きキャビネット４２と、洗面カウンター４１に取り付けられた洗面器４３とを備えている。
【００２６】
洗面カウンター４１は、平面視長方形状に形成され、床面から７００ｍｍ程度の洗面作業に適した高さレベルに配されている。また、洗面カウンター４１の一端側は、洗面器４３に対して側方へ大きく張り出しており、この張出部４１ａの端部がキッチンユニット３０のキャビネット３２側面に図示しない連結金具を介して連結されている。そして、この張出部４１ａは、洗面用品を載置するだけでなく、調理に際しての補助カウンターとしても利用することができる。また、張出部４１ａの下方における壁面４が露出した空間部を、収納部４４として利用できるようになっている。なお、洗面カウンター４１としては、一端側が側方へ大きく張り出したものに限らず、両端側が洗面器４３に対して側方へ大きく張り出したものや、逆に大きく張り出さないものであっても良い。キャビネット４２は、洗面器４３に接続された配管が収納されている。また、このキャビネット４２は、各種洗面用品を収納可能としている。洗面器４３には、混合水栓４５が取り付けられている。また、洗面器４３に対応して、壁面４に鏡板４６が張り付けられている。なお、この洗面器４３は、洗面カウンター４１上に設置した設置型のものであるが、洗面カウンター４１に埋め込んだ埋め込み型のもの、或いは、洗面カウンター４１と一体となった一体型のものであっても良い。
【００２７】
カウンターユニット５０は、壁面４に固定されたカウンター５１と、このカウンター５１を下側から支持するコンセント付きキャビネット５２とを備えている。
【００２８】
カウンター５１は、平面視長方形状に形成され、床面から７００ｍｍ程度の高さレベルに配されている。また、カウンター５１の一端部は、洗面ユニット４０の洗面カウンター４１と面一になるようにして、キャビネット４２側面に図示しない連結金具を介して連結されている。また、カウンター５１の他端部は、壁面２に図示しない連結金具を介して連結されている。そして、このカウンター５１の下方における壁面４が露出した空間部を、収納部５３として利用できるようになっている。なお、この収納部５３を利用して椅子を設けると、机としてカウンター５１を利用することができる。また、カウンター５１には、キャビネット５２のコンセントに接続した配線をカウンター５１上に引き出すための配線穴５１ａ、５１ａが要所要所に形成されている。従って、パソコンやテレビ等の各種家電製品を載せる載置台としてカウンター５１を利用することができる。キャビネット５２は、各種小物を収納する引き出しを備えている。なお、このキャビネット５２は、カウンター５１が短くて、その周端部を壁面２、４等に固定するたけで十分な取付強度を得ることができるのであれば、必ずしも設ける必要はない。
【００２９】
上記のようにして並設されたキッチンユニット３０、洗面ユニット４０、カウンターユニット５０においては、洗面ユニット４０の洗面カウンター４１とカウンターユニット５０のカウンター５１がほぼ同じ高さ位置に揃えられるとともに、これら洗面カウンター４１及びカウンター５１が、キッチンユニット３０のワークトップ３１に対してそれよりも低い高さ位置に配されている。そして、ワークトップ３１上方の空間部、洗面カウンター４１上方の空間部、カウンター５１上方の空間部が、仕切りのない状態で壁面４に沿って互いに横方向に連通されている。
【００３０】
上記構成の部屋構造においては、奥行きをほぼ統一したワークトップ３１、洗面カウンター４１、カウンター５１の上方が仕切りのない開放状態となっていて視線が通ることから、ユニット３０、４０、５０を壁面４に沿って並設したにもかかわらず、閉塞感や圧迫感を与えることなく、部屋全体に開放感を持たせることができる。しかも、洗面カウンター４１及びカウンター５１の下方が要所要所において壁面４が露出するように開放しているので、床面に拡がりを持たせて開放感をさらに高めることができる。
【００３１】
また、洗面カウンター４１とカウンター５１の高さ位置を、ワークトップ３１の高さ位置よりも低く抑えながら揃えることで、部屋全体の開放感をさらに高めることができるとともに、洗面カウンター４１とカウンター５１が同一平面上において水平に連続して、洗練されたシンプルなデザインとすることができる。
【００３２】
さらに、洗面カウンター４１及びカウンター５１を各種用途に使用することができ、加えて洗面カウンター４１、カウンター５１の下方を収納部４４、５３として利用することができることから、利便性を高めることができるとともに、机や収納等の家具類を減らして居室空間１１を広く確保することができる。
【００３３】
さらにまた、洗面ユニット４０がバス１２やトイレ１３等の水周り設備から離した状態で居室空間１１に配置されており、明るくて広い場所で洗面ユニット４０を使用することができる。しかも、洗面ユニット４０を居室空間１１に配置することにより、水周り設備の玄関側空間１０における床面積含有率が低くなって、玄関側空間１０に設けられるキッチンユニット３０周りの通路１９の幅も広く確保することができ、さらにキッチンユニット３０の近傍には冷蔵庫２１とカップボード２２を設置しているので、キッチンユニット３０の使い勝手も向上することができる。
【００３４】
また、ユーティリティスペース１４内に洗濯機１５を配置しているので、洗濯機１５の使い勝手を良好にすることができるとともに、居室空間１１から洗濯機１５が見えることがなくて見栄えを良好にすることができ、しかも洗濯機１５が発する騒音も気にせずに済むといった利点がある。
【００３５】
図５は、間口が約３．５ｍｍ、奥行きが約７．５ｍとされた部屋構造を示している。この部屋構造においては、上記実施形態の部屋構造と比べて、その奥行きが短くなっており、パイプスペース１６と壁面２との間における壁面４の横幅が約５６５０ｍｍとなっている。
【００３６】
そこで、図６及び図７に示すように、キッチンユニット３０及び洗面ユニット４０としては、上記実施形態と同じ大きさのものが使用され、カウンターユニット５０として、カウンター５１の横幅が異なるものが使用されて、これらキッチンユニット３０、洗面ユニット４０、カウンターユニット５０が壁面４の約５６５０ｍｍの横幅いっぱいに亘って連続して並設されている。
【００３７】
このように、カウンターユニット５０のカウンター５１の横幅調整のみで、奥行き寸法の異なる部屋に対しても、大きな設計変更を伴うことなく、同様の配置形態を維持しながらユニット３０、４０、５０を並設している。なお、カウンターユニット５０のカウンター５１の横幅を調整する代わりに、洗面ユニット４０の洗面カウンター４１の横幅を調整するようにしても良く、またカウンター５１及び洗面カウンター４１の双方の横幅を調整するようにしても良い。
【００３８】
なお、この発明は、上記実施形態に限定されるものではなく、この発明の範囲内で上記実施形態に多くの修正及び変更を加え得ることは勿論である。例えば、上記実施形態においては、玄関側からキッチンユニット、洗面ユニット、カウンターユニットの順に並設していたが、玄関側からキッチンユニット、カウンターユニット、洗面ユニットの順に並設しても良い。また、カウンターユニットを複数設けるようにしても良い。さらに、洗面カウンター及びカウンターを、ワークトップに対してそれよりも低い高さ位置に配置していたが、ワークトップとほぼ同じ高さ位置に配置しても良い。
【図面の簡単な説明】
【００３９】
【図１】この発明の一実施形態に係る部屋構造の平面図である。
【図２】ユニットの配置状態を示す平面図である。
【図３】ユニットの配置状態を示す正面図である。
【図４】ユニットの配置状態を示す縦断面図である。
【図５】別の実施形態に係る部屋構造の平面図である。
【図６】ユニットの配置状態を示す平面図である。
【図７】ユニットの配置状態を示す正面図である。
【符号の説明】
【００４０】
４・・壁面、１０・・玄関側空間、１１・・居室空間、１２・・バス、１３・・トイレ、１４・・ユーティリティスペース、１５・・洗濯機、３０・・キッチンユニット、３１・・ワークトップ、４０・・洗面ユニット、４１・・洗面カウンター、５０・・カウンターユニット、５１・・カウンター、Ｌ・・奥行き
【図１】
2009114768.tif 000003
【図２】
2009114768.tif 000004
【図３】
2009114768.tif 000005
【図４】
2009114768.tif 000006
【図５】
2009114768.tif 000007
【図６】
2009114768.tif 000008
【図７】
2009114768.tif 000009